(57)【要約】【課題】  送受共用偏波共用平面アンテナ内部のカップリングによる交差偏波識別度（XPD）の劣化を防止する。【解決手段】  送信ポート１３と受信ポート１４とを備える送受信分離型アンテナ１０に用いられる吸収ポート３０ｔ、３０ｒであって、送信機１５と前記送信ポート１３との間である送信経路１７、または、受信機１６と前記受信ポート１４との間である受信経路１８に配設され、前記送信経路１７に配設された場合には受信周波数帯域の信号を吸収し、前記受信経路１８に配設された場合には送信周波数帯域の信号を吸収する。【選択図】  図１
2020141355.tif 000002
【特許請求の範囲】
【請求項１】
送信ポートと受信ポートとを備える送受信分離型アンテナに用いられる吸収ポートであって、
送信機と前記送信ポートとの間である送信経路、または、受信機と前記受信ポートとの間である受信経路に配設され、
前記送信経路に配設された場合には受信周波数帯域の信号を吸収し、前記受信経路に配設された場合には送信周波数帯域の信号を吸収する、
ことを特徴とする吸収ポート。
【請求項２】
前記送信経路又は前記受信経路が延びる方向と同方向に延びるストレート管と該ストレート管の側部から直交する方向に延設された分岐管とを備えた導波管からなり、
前記分岐管の反ストレート管側端部は閉塞されていて、該閉塞端面の内面に前記分岐管の軸心方向に突出するダミーロードが形成され、
前記分岐管のダミーロードで、送信側においては受信周波数帯域の信号を、受信側においては送信周波数帯域の信号を、吸収する、
ことを特徴とする請求項１に記載の吸収ポート。
【請求項３】
前記ストレート管における、前記分岐管が対向する内面には、分岐管側に突出する分岐壁が形成されており、
該分岐壁で、送信側においては受信周波数帯域の信号を、受信側においては送信周波数帯域の信号を、分岐管側に伝送する、
ことを特徴とする請求項２に記載の吸収ポート。
【請求項４】
送信側に配設される吸収ポートであって、
前記分岐管における、前記ストレート管との連結部と前記ダミーロードとの間にバンドリジェクションフィルタが配設されており、
該バンドリジェクションフィルタで、受信周波数帯域の信号を通過させ、送信周波数帯域の信号を遮断させる、
ことを特徴とする請求項２又は請求項３に記載の吸収ポート。
【請求項５】
送信側に配設される吸収ポートであって、
前記ストレート管における、前記分岐管との連結部より送信機側に寄った位置にハイパスフィルタが配設されており、
該ハイパスフィルタで、送信周波数帯域の信号は通過させて、受信周波数帯域の信号は反射する、
ことを特徴とする請求項２から請求項４に記載の吸収ポート。
【請求項６】
受信側に配設される吸収ポートであって、
前記ストレート管における、前記分岐管との連結部より受信機側に寄った位置にバンドリジェクションフィルタが配設されており、
該バンドリジェクションフィルタで、受信周波数帯域の信号を通過させ、送信周波数帯域の信号を遮断させる、
ことを特徴とする請求項２又は請求項３に記載の吸収ポート。
【請求項７】
受信側に配設される吸収ポートであって、
前記分岐管における、前記ストレート管との連結部と前記ダミーロードとの間にハイパスフィルタが配設されており、
該ハイパスフィルタで、送信周波数帯域の信号は通過させて、受信周波数帯域の信号は反射する、
ことを特徴とする請求項２から請求項３又は請求項６に記載の吸収ポート。
【請求項８】
送信ポートと受信ポートとを備える送受信分離型アンテナであって、
送信機と前記送信ポートとの間である送信経路に配設された場合には受信周波数帯域の信号を吸収し、または、受信機と前記受信ポートとの間である受信経路に配設された場合には送信周波数帯域の信号を吸収する、前記請求項１から請求項７に記載の吸収ポートのうち、いずれか１つを備えた、
ことを特徴とする送受信分離型アンテナ。
【発明の詳細な説明】
【技術分野】
【０００１】
本発明は、送信と受信で周波数帯域が異なり、かつ送信と受信で偏波が直交している、送受共用偏波共用の送受信分離型アンテナ及びこれに用いられる吸収ポートに関する。
【背景技術】
【０００２】
従来、例えば、Ｘ帯、Ｋｕ帯、Ｋａ帯等の衛星通信地球局で用いられる送受共用偏波共用平面アンテナでは、送信と受信で別々のポートを持ち、また送信と受信とでそれぞれの偏波が直交している。
【０００３】
衛星通信では送信ポートと受信ポートの間に高いアイソレーションを必要とするが、平面アンテナ単体では平面アンテナ内部のカップリングにより十分なアイソレーションを取ることは難しい。
【０００４】
そのため、反対側周波数の電波（信号）を抑えるためのフィルタが搭載されている。
【０００５】
図７は送信側及び受信側にそれぞれ送信フィルタ１０１及び受信フィルタ１０２を備えた平面アンテナ１００の概念図である。
【０００６】
この平面アンテナ１００は、送信アンテナ１０３と受信アンテナ１０４とを備え、送信アンテナ１０３は送信ポート１０５を介して送信機１０７に接続され、また、受信アンテナ１０４は受信ポート１０６を介して受信機１０８に接続されている。
【０００７】
送信機１０７と送信ポート１０５との間には送信フィルタ１０１が配設され、該送信フィルタ１０１は送信周波数帯域の信号を通過させ、受信周波数帯域の信号は遮断するようになっている。
【０００８】
また、受信機１０８と受信ポート１０６との間には受信フィルタ１０２が配設され、該受信フィルタ１０２は受信周波数帯域の信号を通過させ、送信周波数帯域の信号は遮断するようになっている。
【０００９】
これにより、送信機１０７から発せされた送信周波数帯域の信号は送信フィルタ１０１を通過して送信ポート１０５を経由して送信アンテナ１０３から放射され、送信周波数帯域以外の信号が送信ポート１０５に入ることが防止される。
【００１０】
また、受信アンテナ１０４で受信した信号のうち、受信周波数帯域の信号が受信フィルタ１０２を通過して受信機１０８に受信され、受信周波数帯域以外の信号が受信機１０８に受信されることが防止される。
【先行技術文献】
【特許文献】
【００１１】
【特許文献１】特開２０１４−１７６５４号公報
【発明の概要】
【発明が解決しようとする課題】
【００１２】
ところで、上記のように送信フィルタ１０１及び受信フィルタ１０２を備えた平面アンテナ１００にあっても、以下のような問題があった。
【００１３】
すなわち、送信側については、送信機１０７から送信ポート１０５に入力された信号が送信アンテナ１０３から主偏波として放射されるだけでなく、受信アンテナ１０４を経由して受信ポート１０６にカップリングしてしまう（図８）。
【００１４】
カップリングされた送信の信号は、受信ポート１０６から受信機１０８に向けて伝送されて受信フィルタ１０２で反射して受信アンテナ１０４から再放射されることがある。
【００１５】
そして、この再放射された信号は送信アンテナ１０３から放射される信号と直交しているため（交差偏波）、送信側の交差偏波識別度（ＸＰＤ）を劣化させるという問題があった（図８）。
【００１６】
受信側についても、送信アンテナ１０３で受信した受信の信号（交差偏波）が送信フィルタ１０１で反射した後、アンテナ内部のカップリングにより受信ポート１０６に出力され、この信号が受信アンテナ１０４から受信ポート１０６に直接出力される信号（主偏波）と偏波が直交しているため、受信側の交差偏波識別度（ＸＰＤ）を劣化させるという問題があった（図９参照）。
【００１７】
このようなＸＰＤ劣化を抑えるため、従来、図１０に示すようなアイソレータを追加する方法がある。
【００１８】
すなわち、送信側については、送信ポート１０５と送信フィルタ１０１との間に送信アイソレータ１０９を介在させ、また、受側については、受信ポート１０６と受信フィルタ１０２との間に受信アイソレータ１１０を介在させる（図１０参照）。
【００１９】
これにより、平面アンテナ内部カップリングによるＸＰＤ劣化を抑えることができる。
【００２０】
しかし、この方法では送信側受信側ともに、受信帯域から送信帯域までの広帯域なアイソレータが必要となるが、アイソレータの部品であるサーキュレータの特性からその実現が難しいという問題がある。特に、Ｋａ帯では受信帯域が２０ＧＨｚ帯、送信帯域が３０ＧＨｚ帯と、送受信における周波数帯域が大きく離れているため、そのサーキュレータの実現は極めて困難である。
【００２１】
そこで本発明は、アンテナ内部のカップリングによる交差偏波識別度の劣化を防ぐことができる吸収ポート及び送受信分離型アンテナを提供することを目的とする。
【課題を解決するための手段】
【００２２】
上記課題を解決するために、請求項１に記載の発明は、送信ポートと受信ポートとを備える送受信分離型アンテナに用いられる吸収ポートであって、送信機と前記送信ポートとの間である送信経路、または、受信機と前記受信ポートとの間である受信経路に配設され、前記送信経路に配設された場合には受信周波数帯域の信号を吸収し、前記受信経路に配設された場合には送信周波数帯域の信号を吸収する、ことを特徴とする。
【００２３】
請求項１の発明によれば、送信経路に配設された受信吸収ポートにより受信周波数帯域の信号を吸収する、または、受信経路に配設された送信吸収ポートにより送信周波数帯域の信号を吸収する。
【００２４】
請求項２に記載の発明は、請求項１に記載の吸収ポートにおいて、前記送信経路又は前記受信経路が延びる方向と同方向に延びるストレート管と該ストレート管の側部から直交する方向に延設された分岐管とを備えた導波管からなり、前記分岐管の反ストレート管側端部は閉塞されていて、該閉塞端面の内面に前記分岐管の軸心方向に突出するダミーロードが形成され、前記分岐管のダミーロードで、送信側においては受信周波数帯域の信号を、受信側においては送信周波数帯域の信号を、吸収する、ことを特徴とする。
【００２５】
請求項３に記載の発明は、請求項１又は請求項２に記載の吸収ポートにおいて、前記ストレート管における、前記分岐管が対向する内面には、分岐管側に突出する分岐壁が形成されており、該分岐壁で、送信側においては受信周波数帯域の信号を、受信側においては送信周波数帯域の信号を、分岐管側に伝送する、ことを特徴とする。
【００２６】
請求項４に記載の発明は、請求項１から請求項３に記載の吸収ポートにおいて、送信側に配設される吸収ポートであって、前記分岐管における、前記ストレート管との連結部と前記ダミーロードとの間にバンドリジェクションフィルタが配設されており、該バンドリジェクションフィルタで、受信周波数帯域の信号を通過させ、送信周波数帯域の信号を遮断させる、ことを特徴とする。
【００２７】
請求項５に記載の発明は、請求項１から請求項４に記載の吸収ポートにおいて、送信側に配設される吸収ポートであって、前記ストレート管における、前記分岐管との連結部より送信機側に寄った位置にハイパスフィルタが配設されており、該ハイパスフィルタで、送信周波数帯域の信号は通過させて、受信周波数帯域の信号は反射する、ことを特徴とする。
【００２８】
請求項６に記載の発明は、請求項１から請求項３に記載の吸収ポートにおいて、受信側に配設される吸収ポートであって、前記ストレート管における、前記分岐管との連結部より受信機側に寄った位置にバンドリジェクションフィルタが配設されており、該バンドリジェクションフィルタで、受信周波数帯域の信号を通過させ、送信周波数帯域の信号を遮断させる、ことを特徴とする。
【００２９】
請求項７に記載の発明は、請求項１から請求項３又は請求項６に記載の吸収ポートにおいて、受信側に配設される吸収ポートであって、前記分岐管における、前記ストレート管との連結部と前記ダミーロードとの間にハイパスフィルタが配設されており、該ハイパスフィルタで、送信周波数帯域の信号は通過させて、受信周波数帯域の信号は反射する、ことを特徴とする。
【００３０】
請求項８に記載の発明は、送信ポートと受信ポートとを備える送受信分離型アンテナであって、送信機と前記送信ポートとの間である送信経路に配設された場合には受信周波数帯域の信号を吸収し、または、受信機と前記受信ポートとの間である受信経路に配設された場合には送信周波数帯域の信号を吸収する、前記請求項１から請求項７に記載の吸収ポートのうち、いずれか１つを備えた、ことを特徴とする。
【発明の効果】
【００３１】
請求項１に記載の発明によれば、送信経路に配設された受信吸収ポートにより受信周波数帯域の信号を吸収する、または、受信経路に配設された送信吸収ポートにより送信周波数帯域の信号を吸収するので、送信と受信で周波数帯域が異なり、かつ送信と受信で偏波が直交している、送受共用偏波共用平面アンテナにおいて、平面アンテナ内部のカップリングによる交差偏波識別度（ＸＰＤ）（円偏波の場合は軸比（Axial Ratio））の劣化を防止することができる。
【００３２】
請求項２に記載の発明によれば、ストレート管と該ストレート管から直交する方向に延設された分岐管とを備え、前記分岐管の反ストレート管側端部は閉塞され、該閉塞端面にダミーロード（錐体凸部）を形成したので、簡単な構成で、前記分岐管のダミーロードで、送信側においては受信周波数帯域の信号を、受信側においては送信周波数帯域の信号を、吸収することができる。
【００３３】
請求項３に記載の発明によれば、前記ストレート管における、前記分岐管が対向する内面に、分岐管側に突出する分岐壁を形成したので、送信側においては受信周波数帯域の信号を、受信側においては送信周波数帯域の信号を、分岐管側に伝送することができ、
より確実に、所望の周波数帯域の信号を吸収することができる。
【００３４】
請求項４に記載の発明によれば、送信側に配設される吸収ポートで、前記分岐管における、前記ストレート管との連結部と前記ダミーロードとの間にバンドリジェクションフィルタを配設したので、受信周波数帯域の信号を通過させ、送信周波数帯域の信号を遮断させることができ、より効率良くダミーロードに受信周波数帯域の信号を導くことができ、受信周波数帯域の信号を吸収することができる。
【００３５】
請求項５に記載の発明によれば、送信側に配設される吸収ポートで、前記ストレート管における、前記分岐管との連結部より送信機側に寄った位置にハイパスフィルタを配設したので、送信周波数帯域の信号は通過させ、受信周波数帯域の信号は反射することができ、より効率良く送信機から送信ポートに送信帯域を導き、受信周波数帯域の信号を反射させて受信吸収ポートで吸収させることができる。
【００３６】
請求項６に記載の発明によれば、受信側に配設される吸収ポートで、前記ストレート管における、前記分岐管との連結部より受信機側に寄った位置にバンドリジェクションフィルタを配設したので、受信周波数帯域の信号を通過させ、送信周波数帯域の信号を遮断させることができ、より効率良く受信機に受信周波数帯域の信号を導き、かつ、送信帯域を受信機に受信させないようにすることができる。
【００３７】
請求項７に記載の発明によれば、受信側に配設される吸収ポートで、前記分岐管における、前記ストレート管との連結部と前記ダミーロードとの間にハイパスフィルタを配設したので、送信周波数帯域の信号は通過させて、受信周波数帯域の信号を反射することができ、より効率良くダミーロードに送信周波数帯域の信号を導き吸収させ、受信周波数帯域の信号を反射させて受信機に導くことができる。
【００３８】
請求項８に記載の発明によれば、送信機と前記送信ポートとの間である送信経路に配設された場合には受信周波数帯域の信号を吸収し、または、受信機と前記受信ポートとの間である受信経路に配設された場合には送信周波数帯域の信号を吸収するにあたり、簡単な構造にて実現することができる。
【図面の簡単な説明】
【００３９】
【図１】図２〜図６と共にこの発明の実施の形態に係る吸収ポート及び送受信分離型アンテナを示し、本図は、平面アンテナと送受信機との接続を概略的に示す構成図である。
【図２】送信機から発した送信波の流れを説明した構成図である。
【図３】受信波を受信した後の受信波の流れを説明した構成図である。
【図４】受信吸収ポートの断面図である。
【図５】送信吸収ポートの断面図である。
【図６】この実施の形態を用いて計測した平面アンテナの周波数帯域と軸比との関係を表したグラフ図である。
【図７】図８及び図９と共に従来の平面アンテナと送受信機との接続を概略的に示すもので、本図は全体の構成図である。
【図８】送信機から発した送信波の流れを説明した構成図である。
【図９】受信波を受信した後の受信波の流れを説明した構成図である。
【図１０】別の従来の平面アンテナと送受信機との接続を概略的に示す全体の構成図である。
【発明を実施するための形態】
【００４０】
以下、この発明を図示の実施の形態に基づいて説明する。
【００４１】
図１〜図３はこの発明の実施の形態に係る送受信分離型アンテナと送受信機との構成を概略的に示す構成図である。
【００４２】
この平面アンテナ１０は、送信アンテナ１１と受信アンテナ１２とを備え、送信アンテナ１１は送信ポート１３を介して送信経路１７を通じて送信機１５に接続され、また、受信アンテナ１２は受信ポート１４を介して受信経路１８を通じて受信機１６に接続されている。
【００４３】
送信側の送信経路１７には、送信周波数帯域の信号を通過させ、受信周波数帯域の信号は遮断する送信フィルタ１９と受信周波数帯域の信号を吸収する受信吸収ポート３０ｒを有する。
【００４４】
受信側の受信経路１８には、受信周波数帯域の信号を通過させ、送信周波数帯域の信号は遮断する受信フィルタ２０と送信周波数帯域の信号を吸収する送信吸収ポート３０ｔを有する。
【００４５】
送信経路１７に配設される受信吸収ポート３０ｒと受信経路１８に配設される送信吸収ポート３０ｔとは、基本的な構造は同じであるが、後述するバンドリジェクションフィルタ及びハイパスフィルタの配設位置を異にすることと、それぞれの吸収ポートで吸収する対象の周波数帯域を相違する点で相違する。すなわち、送信経路１７に配設される受信吸収ポート３０ｒは受信周波数帯域の信号が、また、受信経路１８に配設される送信吸収ポート３０ｔは送信周波数帯域の信号が、それぞれ吸収されるようになっている。そして、各部の機能は同じなので、同じ機能を有する各部には同一符号を付すこととする。
【００４６】
先ず、送信側の送信経路１７に配設される受信吸収ポート３０ｒについて説明する。受信吸収ポート３０ｒは、送信経路１７が延びる方向と同方向に延びるストレート管３１と該ストレート管３１の側部から直交する方向に延設された分岐管３２とを備えたＴ字型を導波管からなる（図４参照）。
【００４７】
前記分岐管３２の反ストレート管３１側端部は閉塞されていて、該閉塞端面３２ａの内面に前記分岐管３２の軸心方向に突出するダミーロード３３が形成され、該ダミーロード３３において分岐管３２に入ってきた所定の周波数帯域の信号が吸収されるので、ダミーロードとして機能するようになっていて、この受信吸収ポート３０ｒにあっては受信周波数帯域の信号を吸収するようになっている。
【００４８】
前記ストレート管３１における、前記分岐管３２が対向する内面３１ａには、分岐管３２側に突出する分岐壁３４が形成されており、該分岐壁３４はストレート管３１内を伝送する信号をほぼ直角に折り曲げて分岐管３２側に伝送するものであり、この受信吸収ポート３０ｒにあっては、分岐壁３４は、受信周波数帯域の信号を分岐管３２側に折り曲げるようになっている。
【００４９】
前記分岐管３２における、前記ストレート管３１との連結部と前記ダミーロード３３との間にバンドリジェクションフィルタ３５が配設されている。このバンドリジェクションフィルタ３５は、ほとんどの周波数帯域の信号はそのまま通過させるが、特定の周波数帯域の信号だけを非常に低いレベルに減衰させるフィルタ回路であり、この受信吸収ポート３０ｒにあっては、受信周波数帯域の信号を通過させ、送信周波数帯域の信号は遮断（又は反射）させるようになっている。
【００５０】
前記ストレート管３１における、前記分岐管３２との連結部より送信機１５側に寄った位置にハイパスフィルタ３６が配設されている。このハイパスフィルタ３６は、遮断周波数より高い周波数の成分はほとんど減衰させず、遮断周波数より低い周波数の成分を遮断させる（又は反射）フィルタであり、受信周波数帯域を反射し送信周波数帯域を通過させる。この受信吸収ポート３０ｒにあっては、送信機１５からの送信周波数帯域の信号はそのまま通過させて送信ポート１３へ伝送させ、逆に、送信アンテナ１１で交差偏波として受信してしまった受信周波数帯域の信号はハイパスフィルタ３６で反射させるようになっている。
【００５１】
従って、送信機１５から発せられた送信周波数帯域の信号は、上記ハイパスフィルタ３６をそのまま通過し、前記分岐壁３４による折り曲げもほとんどなく分岐管３２側へは侵入せず、万が一分岐管３２に侵入したとしてもバンドリジェクションフィルタ３５により反射されて（通過せずに）ほぼロスなく送信ポート１３に伝送されることになる。
【００５２】
次に、受信側の受信経路１８に配設される送信吸収ポート３０ｔについて説明する。送信吸収ポート３０ｔは、受信経路１８が延びる方向と同方向に延びるストレート管３１と該ストレート管３１の側部から直交する方向に延設された分岐管３２とを備えたＴ字型を導波管からなる（図５参照）。
【００５３】
前記分岐管３２の反ストレート管３１側端部は閉塞されていて、該閉塞端面３２ａの内面に前記分岐管３２の軸心方向に突出するダミーロード３３が形成され、該ダミーロード３３において分岐管３２に入ってきた所定の周波数帯域の信号が吸収されるので、この送信吸収ポート３０ｔにあっては送信周波数帯域の信号を吸収するようになっている。
【００５４】
前記ストレート管３１における、前記分岐管３２が対向する内面３１ａには、分岐管３２側に突出する分岐壁３４が形成されており、該分岐壁３４はストレート管３１内を伝送する信号をほぼ直角に折り曲げて分岐管３２側に伝送するものであり、この送信吸収ポート３０ｔにあっては、分岐壁３４は、送信周波数帯域の信号を分岐管３２側に折り曲げるようになっている。
【００５５】
前記分岐管３２における、前記ストレート管３１との連結部と前記ダミーロード３３との間にハイパスフィルタ３６が配設されている。このハイパスフィルタ３６は、遮断周波数より高い周波数の成分はほとんど減衰させず、遮断周波数より低い周波数の成分を遮断させる（又は反射）フィルタであり、この送信吸収ポート３０ｔにあっては、送信周波数帯域の信号をそのまま通過させて効率良く、ダミーロード３３まで伝送し吸収させる。また、万が一、受信周波数帯域の信号が分岐管３２に侵入してしまったときは、このハイパスフィルタ３６により反射させ、受信経路１８に戻すようになっている。
【００５６】
前記ストレート管３１における、前記分岐管３２との連結部より受信機１６側に寄った位置にバンドリジェクションフィルタ３５が配設されている。このバンドリジェクションフィルタ３５は、ほとんどの周波数帯域の信号はそのまま通過させるが、特定の周波数帯域の信号だけを非常に低いレベルに減衰させるフィルタ回路であり、受信周波数帯域の信号は通過させ、送信周波数帯域の信号を減衰させる。この送信吸収ポート３０ｔにあっては、受信周波数帯域の信号をそのまま受信経路１８中を通過させ、送信周波数帯域の信号をこのバンドリジェクションフィルタ３５で遮断（又は反射）するようになっている。
【００５７】
従って、受信ポート１４から入り受信経路１８を伝送されてきた受信周波数帯域の信号はこのバンドリジェクションフィルタ３５をそのまま通過して受信機１６で受信され、一方、カップリングなどで受信経路１８に侵入してしまった送信周波数帯域の信号をこのバンドリジェクションフィルタ３５により遮断（又は反射）されるため受信機１６に伝送されることはない。
【００５８】
次に、送信機１５から発せられた送信波（送信周波数帯域の信号）の流れについて説明する（図２参照）。
【００５９】
送信機１５から発せられた送信波は主偏波として、そのまま送信フィルタ１９−受信吸収ポート３０ｒ（ハイパスフィルタ３６−分岐壁３４−ストレート管３１）−送信ポート１３を通じて、送信アンテナ１１から電波として放射される。
【００６０】
このとき、送信機１５から送信フィルタ１９を通じるため、ほぼ送信周波数帯域の信号のみが通過して受信吸収ポート３０ｒに到達する。
【００６１】
受信吸収ポート３０ｒでは、先ず、信号はハイパスフィルタ３６を通過する。前述のように、このハイパスフィルタ３６は送信周波数帯域の信号を減衰させることなくそのまま通過させる。
【００６２】
分岐壁３４では、送信周波数帯域の信号を折り曲げることなく、送信ポート１３に向けて伝送する。このとき万が一、折り曲げられ、分岐管３２側に侵入したとしてもバンドリジェクションフィルタ３５により、それ以上の侵入は遮断され、むしろ反射されて、ストレート管３１側に戻り、送信経路１７を伝送され、送信ポート１３を通じて送信アンテナ１１から電波として放射される。
【００６３】
送信アンテナ１１では、これに隣接して配設された受信アンテナ１２に送信周波数帯域の信号がカップリングして受信アンテナ１２から受信ポート１４を通じて、受信経路１８に侵入することがある。
【００６４】
受信経路１８に侵入した送信周波数帯域の信号は、送信吸収ポート３０ｔまで伝送される。
【００６５】
送信吸収ポート３０ｔのストレート管３１の分岐壁３４で、送信周波数帯域の信号は、分岐管３２側に折り曲げられ、ハイパスフィルタ３６を通過してダミーロード３３まで到達して吸収される。
【００６６】
万が一、前記分岐壁３４で折り曲げられず、受信機１６側に侵入しようとする送信周波数帯域の信号があったとしても、ストレート管３１に配設されたバンドリジェクションフィルタ３５によりその通過は阻止され又は反射され、受信機１６に到達することはない。さらにまた、バンドリジェクションフィルタ３５を通過したとしても、送信周波数帯域の信号は受信フィルタ２０によりその通過を阻止され又は反射され、結局、送信吸収ポート３０ｔに戻って、ダミーロード３３により吸収される。
【００６７】
受信アンテナ１２により受信された受信周波数帯域の信号の流れについて説明する（図３参照）
【００６８】
受信アンテナ１２により受信された電波は、主偏波であり、そのまま受信ポート１４を通じて、受信経路１８−送信吸収ポート３０ｔ（ストレート管３１−分岐壁３４−バンドリジェクションフィルタ３５）−受信フィルタ２０を介して受信機１６に受信される。
【００６９】
このとき、送信吸収ポート３０ｔで、万が一、分岐壁３４で分岐管３２側に折り曲げられたとしても、ハイパスフィルタ３６により受信周波数帯域の信号は反射させられ、受信経路１８に戻され、結局、受信機１６まで到達され、ほぼロスのない受信周波数帯域の信号が受信機１６により受信される。
【００７０】
また、一方、送信アンテナ１１では交差偏波が受信されてしまうことがあり、この場合、交差偏波は受信周波数帯域の信号として送信経路１７に侵入してしまう。
【００７１】
送信経路１７に侵入した受信周波数帯域の信号は、受信吸収ポート３０ｒで吸収される。
【００７２】
すなわち、受信周波数帯域の信号は、受信吸収ポート３０ｒのストレート管３１の分岐壁３４で分岐管３２側に折り曲げられ、バンドリジェクションフィルタ３５をそのまま通過してダミーロード３３まで到達して吸収される。
【００７３】
分岐壁３４で万が一、折り曲げられず、送信機１５側に侵入しようとする受信周波数帯域の信号があったとしても、ストレート管３１に配設されたハイパスフィルタ３６によりその通過は阻止され又は反射され、送信機１５に到達することはない。さらにまた、ハイパスフィルタ３６を通過したとしても、受信周波数帯域の信号は送信フィルタ１９によりその通過を阻止され又は反射され、結局、受信吸収ポート３０ｒに戻って、ダミーロード３３により吸収される。
【００７４】
以上のように、この実施の形態に係る吸収ポート３０ｒ、３０ｔによれば、送受共用偏波共用平面アンテナにおいて、アンテナ内部のカップリングよる交差偏波識別度（ＸＰＤ）の劣化を防止することができる。
【００７５】
図６は、受信周波数（ＧＨｚ）に対する軸比（ｄＢ）を示すグラフであり、実線で示すグラフがこの実施の形態にかかる吸収ポート３０ｒ、３０ｔを用いたもの、破線で示すグラフが吸収ポートを用いていないものであり、このグラフから分かるように、１８〜２０ＧＨｚの受信波における軸比（ｄＢ）が大幅に改善された。
【００７６】
また、本発明吸収ポートを用いることにより、従来例で説明したアイソレータなどを用いなくても良いため、挿入損失が少なく、耐電力を高くすることができる。
【００７７】
なお、上記実施の形態においては、各部（分岐壁３２、バンドリジェクションフィルタ３５、ハイパスフィルタ３６など）をすべて構成要素したが、本発明はこれらを選択的に採用することもできる。さらに、受信側、送信側の何れか一方にのみ吸収ポートを設けてもよい。
【００７８】
以上、この発明の実施の形態について説明したが、具体的な構成は、上記の実施の形態に限られるものではなく、この発明の要旨を逸脱しない範囲の設計の変更等があっても、この発明に含まれる。
【符号の説明】
【００７９】
１０        送受信分離型アンテナ
１１        送信アンテナ
１２        受信アンテナ
１３        送信ポート
１４        受信ポート
１５        送信機
１６        受信機
１７        送信経路
１８        受信経路
３０ｒ      受信吸収ポート
３０ｔ      送信吸収ポート
３１        ストレート管
３１ａ      ストレート管内面
３２        分岐管
３２ａ      閉塞端面
３３        ダミーロード
３４        分岐壁
３５        バンドリジェクションフィルタ
３６        ハイパスフィルタ
【図１】
2020141355.tif 000003
【図２】
2020141355.tif 000004
【図３】
2020141355.tif 000005
【図４】
2020141355.tif 000006
【図５】
2020141355.tif 000007
【図６】
2020141355.tif 000008
【図７】
2020141355.tif 000009
【図８】
2020141355.tif 000010
【図９】
2020141355.tif 000011
【図１０】
2020141355.tif 000012